【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
情報処理装置と通信可能に接続され、前記情報処理装置からデータ入出力要求を受信するチャネル制御部、データを記憶するハードディスクドライブと通信可能に接続され、前記データ入出力要求に応じて前記ハードディスクドライブに対してデータの読み書きを行うディスク制御部、前記チャネル制御部と前記ディスク制御部との間で授受されるデータを記憶するキャッシュメモリ、及び前記チャネル制御部と前記ディスク制御部と前記キャッシュメモリとを通信可能に接続する接続部を有する第１のＩ／Ｏ制御部と、
前記第１のＩ／Ｏ制御部と消費電流が略等しい第２のＩ／Ｏ制御部と、
前記第１のＩ／Ｏ制御部に電力を供給する第１の電源装置と、
前記第２のＩ／Ｏ制御部に電力を供給する第２の電源装置と、
外部から供給される電力を前記第１の電源装置及び前記第２の電源装置に供給すると共に、所定値以上の電流が流れると前記電力の供給を停止する少なくとも３つの回路遮断器と、
を備え、
前記第１の電源装置及び前記第２の電源装置のそれぞれは、互いの出力電流を一致させる電流平衡回路を有すること
を特徴とするストレージ制御装置。
【請求項２】
情報処理装置に接続され、前記情報処理装置からデータ入出力要求を受信するチャネル制御部、データを記憶する１つ以上のハードディスクドライブに接続され、前記データ入出力要求に応じて前記ハードディスクドライブに対してデータの読み書きを行うディスク制御部、及び前記チャネル制御部と前記ディスク制御部との間で授受されるデータを記憶するキャッシュメモリ、を含む第１のＩ／Ｏ制御部と、
前記第１のＩ／Ｏ制御部と消費電流が略等しい第２のＩ／Ｏ制御部と、
交流電力を直流電力に変換して前記第1のＩ／Ｏ制御部に供給する２つ以上の第１のＡＣ／ＤＣ電源と、
交流電力を直流電力に変換して前記第２のＩ／Ｏ制御部に供給する２つ以上の第２のＡＣ／ＤＣ電源と、
外部から供給される交流電力を前記第1のＡＣ／ＤＣ電源及び前記第２のＡＣ／ＤＣ電源に供給し、所定値以上の電流が流れると前記交流電力の供給を停止するブレーカを有する少なくとも３つのＡＣ−ＢＯＸと、
を備え、
前記少なくとも３つのＡＣ−ＢＯＸのうちの１つが前記交流電力の供給を停止した場合には、他のＡＣ−ＢＯＸから供給される交流電力に基づいて前記第1のＩ／Ｏ制御部及び前記第２のＩ／Ｏ制御部を動作させ、
前記第1のＡＣ／ＤＣ電源と前記第2のＡＣ／ＤＣ電源のそれぞれは、前記少なくとも３つのＡＣ−ＢＯＸのうちの１つが交流電力の供給を停止した場合であっても、前記第１のＡＣ／ＤＣ電源及び前記第２のＡＣ／ＤＣ電源から前記第１のＩ／Ｏ制御部及び前記第２のＩ／Ｏ制御部へ供給される出力電流を一致させる電流平衡回路を含む
ことを特徴とするストレージ制御装置。
【請求項３】
請求項２に記載のストレージ制御装置であって、
前記第1のＡＣ／ＤＣ電源は、交流電力を直流電力に変換して前記第１のＩ／Ｏ制御部に供給するＡＣＤＣ変換部を含み、
前記第２のＡＣ／ＤＣ電源は、交流電力を直流電力に変換して前記第２のＩ／Ｏ制御部に供給するＡＣＤＣ変換部を含む
ことを特徴とするストレージ制御装置。
【請求項４】
請求項２に記載のストレージ制御装置であって、
前記各ブレーカに外部から供給される前記交流電力は３相交流電力であり、
前記各ブレーカは、前記３相交流電力のいずれかの相に所定値以上の電流が流れると、その相の前記交流電力の供給を停止し、
前記第１のＡＣ／ＤＣ電源は、前記３相交流電力の各相の交流電力をそれぞれ直流電力に変換して出力する３つのＡＣＤＣ変換部を有し、前記電流平衡回路は、前記第１のＡＣ／ＤＣ電源及び前記第2のＡＣ／ＤＣ電源から前記第１のＩ／Ｏ制御部及び前記第２のＩ／Ｏ制御部へ出力される出力電流を一致させるように、前記３相の出力電流を一致させ、
前記第２のＡＣ／ＤＣ電源は、前記３相交流電力の各相の交流電力をそれぞれ直流電力に変換して出力する３つのＡＣＤＣ変換部を有し、前記電流平衡回路は、前記第１のＡＣ／ＤＣ電源及び前記第2のＡＣ／ＤＣ電源から前記第１のＩ／Ｏ制御部及び前記第２のＩ／Ｏ制御部へ出力される出力電流を一致させるように、前記３相の出力電流を一致させる
ことを特徴とするストレージ制御装置。
【請求項５】
請求項２に記載のストレージ制御装置であって、
前記第１のＡＣ／ＤＣ電源及び前記第２のＡＣ／ＤＣ電源は、それぞれ、前記少なくとも３つのＡＣ−ＢＯＸの数以上備えられ、
前記第１のＡＣ／ＤＣ電源と前記第２のＡＣ／ＤＣ電源とは同数であり、
前記少なくとも３つのＡＣ−ＢＯＸのそれぞれは、互いに異なる前記第１のＡＣ／ＤＣ電源及び前記第２のＡＣ／ＤＣ電源に前記交流電力を供給する
ことを特徴とするストレージ制御装置。
【請求項６】
請求項２に記載のストレージ制御装置であって、
前記少なくとも３つのＡＣ−ＢＯＸからそれぞれ供給される前記交流電力は、前記少なくとも３つのＡＣ−ＢＯＸから前記第1のＡＣ／ＤＣ電源のうちの一つ及び前記第2のＡＣ／ＤＣ電源のうちの一つにそれぞれ着脱可能に接続される電気ケーブルを通じて、前記第1のＡＣ／ＤＣ電源のうちの一つ及び前記第2のＡＣ／ＤＣ電源のうちの一つの両方にそれぞれ供給される
ことを特徴とするストレージ制御装置。
【請求項７】
情報処理装置に接続され、前記情報処理装置からデータ入出力要求を受信するチャネル制御部、データを記憶する１つ以上のハードディスクドライブに接続され、前記データ入出力要求に応じて前記ハードディスクドライブに対してデータの読み書きを行うディスク制御部、及び前記チャネル制御部と前記ディスク制御部との間で授受されるデータを記憶するキャッシュメモリを有する第１のＩ／Ｏ制御部と、
前記第１のＩ／Ｏ制御部と消費電流が略等しい第２のＩ／Ｏ制御部と、
前記ハードディスクドライブと、
３相交流電力の各相の交流電力をそれぞれ直流電力に変換して出力する３つのＡＣＤＣ変換部を有し、前記直流電力を前記第１のＩ／Ｏ制御部に供給する第１のＡＣ／ＤＣ電源と、
３相交流電力の各相の交流電力をそれぞれ直流電力に変換して出力する３つのＡＣＤＣ変換部を有し、前記直流電力を前記第２のＩ／Ｏ制御部に供給する第２のＡＣ／ＤＣ電源と、
外部から供給される３相交流電力を前記第1のＡＣ／ＤＣ電源及び前記第２のＡＣ／ＤＣ電源に供給し、前記３相交流電力のいずれかの相に所定値以上の電流が流れるとその相の交流電力の供給を停止するブレーカを有する少なくとも３つのＡＣ−ＢＯＸと、
を備え、
前記少なくとも３つのＡＣ−ＢＯＸのうちの１つが前記交流電力の供給を停止した場合には、他のＡＣ−ＢＯＸから供給される交流電力に基づいて前記第1のＩ／Ｏ制御部及び前記第２のＩ／Ｏ制御部を動作させ、
前記第１のＡＣ／ＤＣ電源及び前記第２のＡＣ／ＤＣ電源は、前記少なくとも３つのＡＣ−ＢＯＸの数以上備えられ、前記第２のＡＣ／ＤＣ電源は、前記少なくとも３つのＡＣ−ＢＯＸの数以上備えられ、
前記第１のＡＣ／ＤＣ電源と前記第２のＡＣ／ＤＣ電源とは同数であり、
前記少なくとも３つのＡＣ−ＢＯＸからそれぞれ供給される前記交流電力は、前記少なくとも３つのＡＣ−ＢＯＸから前記第1のＡＣ／ＤＣ電源のうちの一つ及び前記第2のＡＣ／ＤＣ電源のうちの一つの両方にそれぞれ着脱可能に接続される電気ケーブルを通じて、前記第1のＡＣ／ＤＣ電源及び前記第2のＡＣ／ＤＣ電源にそれぞれ供給され、
前記第１のＡＣ／ＤＣ電源は、前記第１のＡＣ／ＤＣ電源及び前記第２のＡＣ／ＤＣ電源から前記第1のＩ／Ｏ制御部及び前記第2のＩ／Ｏ制御部に供給される出力電流を一致させるように、前記3相交流電力から供給され前記第1のＩ／Ｏ制御部及び前記第2のＩ／Ｏ制御部に供給される出力電流を一致させる電流平衡回路を有し、
前記第２のＡＣ／ＤＣ電源は、前記第１のＡＣ／ＤＣ電源及び前記第２のＡＣ／ＤＣ電源から前記第1のＩ／Ｏ制御部及び前記第2のＩ／Ｏ制御部に供給される出力電流を一致させるように、前記3相交流電力から供給され前記第1のＩ／Ｏ制御部及び前記第2のＩ／Ｏ制御部に供給される出力電流を一致させる電流平衡回路を有する
ことを特徴とするストレージ装置。
【請求項８】
情報処理装置に接続され、前記情報処理装置からデータ入出力要求を受信するチャネル制御部、データを記憶する１つ以上のハードディスクドライブに接続され、前記データ入出力要求に応じて前記ハードディスクドライブに対してデータの読み書きを行うディスク制御部、及び前記チャネル制御部と前記ディスク制御部との間で授受されるデータを記憶するキャッシュメモリ、を含む第１のＩ／Ｏ制御部と、
前記第１のＩ／Ｏ制御部と消費電流が略等しい第２のＩ／Ｏ制御部と、
交流電力を直流電力に変換して前記第1のＩ／Ｏ制御部に出力する２つ以上の第１のＡＣ／ＤＣ電源と、
交流電力を直流電力に変換して前記第２のＩ／Ｏ制御部に出力する２つ以上の第２のＡＣ／ＤＣ電源と、
外部から供給される交流電力を前記第1のＡＣ／ＤＣ電源及び前記第２のＡＣ／ＤＣ電源に供給し、所定値以上の電流が流れると前記交流電力の前記供給を停止する少なくとも３つのＡＣ−ＢＯＸと、
を備えるストレージ制御装置の制御方法であって、
前記少なくとも３つのＡＣ−ＢＯＸのうちの１つが交流電力の供給を停止した場合には、
前記ストレージ制御装置が、他のＡＣ−ＢＯＸから供給される交流電力に基づいて前記第1のＩ／Ｏ制御部及び前記第２のＩ／Ｏ制御部を動作させ、、前記第1のＡＣ／ＤＣ電源及び前記第2のＡＣ／ＤＣ電源から前記第1のＩ／Ｏ制御部及び前記第2のＩ／Ｏ制御部の両方に出力される出力電流が一致するように、前記第1のＡＣ／ＤＣ電源及び前記第2のＡＣ／ＤＣ電源のそれぞれの出力電流を制御する
ことを特徴とするストレージ制御装置の制御方法。
【請求項９】
情報処理装置に接続され、前記情報処理装置からデータ入出力要求を受信する第1のチャネル制御部、データを記憶する１つ以上のハードディスクドライブに接続され、前記データ入出力要求に応じて前記ハードディスクドライブに対してデータの読み書きを行う第1のディスク制御部、及び前記第1のチャネル制御部と前記第1のディスク制御部との間で授受されるデータを記憶する第1のキャッシュメモリ、を含む第１のＩ／Ｏ制御部と、
第2のチャネル制御部、第2のディスク制御部、及び第2のキャッシュメモリを含む、第２のＩ／Ｏ制御部と、
交流電力を直流電力に変換して前記第1のＩ／Ｏ制御部に出力する２つ以上の第１のＡＣ／ＤＣ電源と、
交流電力を直流電力に変換して前記第２のＩ／Ｏ制御部に出力する２つ以上の第２のＡＣ／ＤＣ電源と、
外部から供給される交流電力を前記第1のＡＣ／ＤＣ電源及び前記第２のＡＣ／ＤＣ電源に供給し、所定値以上の電流が流れると交流電力の前記供給を停止する少なくとも３つのＡＣ−ＢＯＸと、
を備え、
前記少なくとも３つのＡＣ−ＢＯＸのうちの１つが交流電力の供給を停止した場合には、他のＡＣ−ＢＯＸから供給される交流電力に基づいて前記第1のＩ／Ｏ制御部及び前記第２のＩ／Ｏ制御部を動作させ、
前記少なくとも３つのＡＣ−ＢＯＸのそれぞれは、前記少なくとも３つのＡＣ−ＢＯＸから前記第１のＡＣ／ＤＣ電源及び前記第２のＡＣ／ＤＣ電源の両方へ供給される出力電流を一致させる電流平衡回路を含む
ことを特徴とするストレージ制御装置。
【請求項１０】
ホストコンピュータに接続され、前記ホストコンピュータから送信されるデータ入出力要求を受信するチャネルアダプタと、
前記チャネルアダプタに接続され、前記チャネルアダプタから送信されるデータを記憶するメモリと、
前記メモリに接続され、前記メモリに記憶されているデータを複数の記憶領域に送信するディスクアダプタと、
前記記憶領域を有し、前記ディスクアダプタから送信されるデータを記憶する複数のディスクドライブユニットと、
前記チャネルアダプタ、前記メモリ、前記ディスクアダプタ、前記ディスクドライブユニットを有する少なくとも１つの負荷に、直流電力を供給する少なくとも１つのＡＣ／ＤＣ電源と、
外部から供給される交流電力を前記ＡＣ／ＤＣ電源に供給し、前記交流電力が所定値を超えた場合には前記交流電力の供給を停止する少なくとも１つのブレーカを有する、少なくとも３つのＡＣ−ＢＯＸと、
を備え、
前記ＡＣ−ＢＯＸから供給される交流電力の合計値が、前記負荷による直流電力の消費量の２倍を超えない
ことを特徴とするストレージシステム。